(57)【特許請求の範囲】
【請求項１】
一対の横断面コ字状の部分柵枠体を対峙させて連結した囲撓柵枠体と、この囲撓柵枠の中間部に内設したベッド用床板と、囲撓柵枠体の下部に内設した収納用棚板とによって収納部付きベビーベッドを構成し、且つこのベビーベッドの囲撓柵枠体を各部分柵枠体に分離すると共に、一方の分離した部分柵枠体の上にもう一方の部分柵枠体を同一方向に載設し、更に少なくとも上側の部分柵枠体の所望箇所にハンガー用杆を横設して、上記ベビーベッドをハンガーラックに組み換えできるようにしたことを特徴とするハンガーラック組み換え可能なベビーベッド。
【請求項２】
ベビーベッドの下部四隅にキャスターを設けた請求項１記載のハンガーラック組み換え可能なベビーベッド。
【発明の詳細な説明】
【０００１】
【産業上の利用分野】
本発明はハンガーラック組み換え可能なベビーベッドに関するものである。
【０００２】
【従来の技術】
従来からベビーベッドにも各種のものがあり、室内で乳児を寝かせておくのに使用されている。そして乳児期を過ぎてベビーベッドが不要になると分解して押入れ等に仕舞っているのが現状である。しかし、一般家庭ではこの保管場所に苦慮している。
【０００３】
また、乳児期や幼児期にはおしめやパンツ、シャツなどの多数の衣類を使用するために、収納部付きのベビーベッドを使用したり、衣類等を収納しておく収納箱やラックを別に室内に置いている。しかし、ベビーベッドの傍に収納箱やラックを置いた場合、部屋が非常に狭くなり、日常生活にも支障をきたす。
【０００４】
そこで従来は、実公昭５４ー２８３８号や、実開昭６１ー１９４３６０号等に記載のように、不要になったベビーベッドを分解して保管しておくための場所を気にすることなく、この分解したベビーベッドを、収納箱やラックとして使用できるベビーベッドが開発されていた。
【０００５】
【発明が解決しようとする課題】
ところが、これらの従来のベビーベッドでは、確かに不要になったベビーベッドを分解して収納箱やラックに組み換えることはできるが、収納箱やラックに組み換えるには部品点数が多く、短時間に誰にでも簡単にベビーベッドを分解して他用途に利用できるものに組み換えることはできなかった。
【０００６】
本発明は上記のような点に鑑みて開発されたものであり、その目的とするところは、通常は衣類等を収納できる収納部付きのベビーベッドとして使用でき、ベビーベッドが不要になったときには誰にでも簡単に組み換えできて、多数の洋服を吊り下げ収納できるハンガーラックに組み換えることができるハンガーラック組み換え可能なベビーベッドを提供することにある。
【０００７】
【課題を解決するための手段】
そこで、本発明は上記目的を達成するために、次のような構成にしてある。すなわち、請求項１に記載のハンガーラック組み換え可能なベビーベッドは、一対の横断面コ字状の部分柵枠体を対峙させて連結した囲撓柵枠体と、この囲撓柵枠の中間部に内設したベッド用床板と、囲撓柵枠体の下部に内設した収納用棚板とによって収納部付きベビーベッドを構成し、且つこのベビーベッドの囲撓柵枠体を各部分柵枠体に分離すると共に、一方の分離した部分柵枠体の上にもう一方の部分柵枠体を同一方向に載設し、更に少なくとも上側の部分柵枠体の所望箇所にハンガー用杆を横設して、上記ベビーベッドをハンガーラックに組み換えできるようにした構成である。
【０００８】
また、請求項２に記載のハンガーラック組み換え可能なベビーベッドは、請求項１記載のハンガーラック組み換え可能なベビーベッドの下部四隅にキャスターを設けた構成である。尚、組み換えたハンガーラックの下端四隅にキャスターを設けてもよい。
【０００９】
【作用】
上記のような本発明のハンガーラック組み換え可能なベビーベッドでは、通常は、上段のベッド用床板上に乳児を寝かせ、下部の収納用棚板上におむつや肌着等の衣類や玩具等を収納して使用する。また、乳児が大きくなり、このベビーベッドが不要になった時には、囲撓柵枠体を２つの部分柵枠体に分離すると共に、ベッド用床板、収納用棚板を取り除き、分離した一方の横断面コ字状の部分柵枠体の上に、もう一方の横断面コ字状の部分柵枠体を同一方向に載設する。更に上側の部分柵枠体の上部中央に、パイプや棒状体等のハンガー用杆を横設することによって、このハンガー用杆にハンガーに掛けた洋服等を吊り下げて収納できるハンガーラックに組み換えすることができる。
【００１０】
尚、ハンガー用杆の位置は、下段の部分柵枠体の上部に横設してもよい。その他、ハンガー用杆は上下各段の部分柵枠体の任意の位置に横設するも自由である。また、ベビーベッドにはキャスターを設けて移動できるようにしてもよい。更に一方の部分柵枠体の上部が上下方向に開閉でき、且つこの部分柵枠体の下部の一部に開閉扉を設け、この扉を開閉することによってベビーベッドの収納用棚板上に衣類等を出し入れできるようにしてもよい。
【００１１】
【実施例】
以下、本発明に係る実施例を図１〜図２に基づいて説明する。図１は本発明に係る一実施例のハンガーラック組み換え可能なベビーベッドの斜視図、図２はこのベビーベッドをハンガーラックに組み換えて使用している状態を示す斜視図である。
【００１２】
図１において、このベビーベッド１は一対の横断面コ字状の部分柵枠体２、３を対峙させて連結した囲撓柵枠体４と、この囲撓柵枠４の中間部に内設したベッド用床板５と、囲撓柵枠体４の下部に内設した収納用棚板６と、囲撓柵枠４の下部四隅に設けたキャスター７とによって構成されている。
【００１３】
上記した一方の部分柵枠体２はベビーベッド１の前部Ａに配設される。この部分柵枠体２は、前柵２ａの両端に各側柵２ｂ、２ｃを直角にネジ（図示省略）で連結して横断面コ字状に形成したものである。前柵２ａは上前柵８と下前柵９とからなり、両前柵８、９は蝶番（図示省略）によって連結され、上前柵８はこの蝶番を介して上下方向に開閉できるようにしてある。また、上前柵８の上部両端は、止めピン１０（図２参照）によって各側柵２ｂ、２ｃに着脱自在に固定できるようにしてある。
【００１４】
上記した下前柵９は中央部に開閉扉１１が設けてあり、この開閉扉１１は両縦桟１２の上部側面に枢着してあり、開閉扉１１の下部１１ａ又は柵部１１ｂを以て上下方向に開閉させることができるようにしてある。
【００１５】
また、上記したもう一方の部分柵枠体３はベビーベッド１の後部Ｂに配設される。この部分柵枠体３は、後柵３ａの両端に各側柵３ｂ、３ｃを直角にネジ（図示省略）で連結して横断面コ字状に形成したものである。
【００１６】
上記の横断面コ字状の一対の部分柵枠体２，３は、側柵２ｂと側柵３ｂ、側柵２ｃと側柵３ｃ、の各側端を対峙させてネジ（図示省略）で連結し、四角形状の囲撓柵枠４を形成してある。
【００１７】
この囲撓柵枠４の中央部にはベッド用床板５が内設してある。ベッド用床板５は一枚板でも、或いは上記側柵２ｂ（２ｃ、３ｂ、３ｃ）の幅寸法と同じ幅寸法の２枚の板であってもよい。更に囲撓柵枠４の下部には収納用棚板６が内設してある。この収納用棚板６は実施例では上記側柵２ｂ（２ｃ、３ｂ、３ｃ）の幅寸法と同じ幅寸法の２枚の板にしてあるが、１枚の板であってもよい。
【００１８】
更に上記した囲撓柵枠４の下部四隅にはキャスター７を設け、このベビーベッド１を手で押すことによって移動できるようにしてある。
【００１９】
上記のような構成からなるベビーベッド１にあっては、通常は、ベッド用床板５に乳児を寝かせ、下部の収納用棚板６には開閉扉１１を開けておむつや肌着等の衣類や玩具等を収納して使用する。ベビーベッド１を移動させたい時には、囲撓柵枠４を押すことによってキャスター７が転動し、簡単にベビーベッド１を移動させることができる。
【００２０】
また、乳児が大きくなり、このベビーベッドが不要になった時には、このベビーベッド１はハンガーラック１２に組み換えすることができる。すなわち、ベビーベッド１から各キャスター７を取り除くと共に、ベッド用床板５と収納用棚板６、６とを取り除き、連結した囲撓柵枠４の両部分柵枠体２、３を分離する。上記収納用棚板６を部分柵枠体２の中間部に内設すると共に、部分柵枠体３の後柵３ａを取り除いて上記部分柵枠体２の後部に設ける。そしてこの部分柵枠体２の上前柵８を手前に引いて下前柵９側に開く。
【００２１】
一方、後柵３ａを外した部分柵枠体３の上部中間には、ハンガーＸを吊り下げるためのパンプ等からなるハンガー用杆１３を横設する。このハンガー用杆１３は部分柵枠体２の上部中間に横設してもよい。
【００２２】
上記の部分柵枠体２を下にして部分柵枠体２の側柵２ｂ、２ｃの上に、後柵３ａを外してハンガー用杆１３を横設した部分柵枠体３の側柵３ｂ、３ｃを載設し、ベビーベッド１をハンガーラック１２に組み換える。
【００２３】
ベビーベッド１をハンガーラック１２に組み換えて形成した上記のハンガーラック１２においては、衣服Ｙを吊り下げた各ハンガーＸをハンガー用杆１３に吊り下げて、各衣服Ｙを収納整理することができる。また、収納用棚板６の上には種々の者を載置して収納することができる。
【００２４】
【発明の効果】
このように本発明のハンガーラック組み換え可能なベビーベッドでは、通常は上部のベッド底板上に敷布団を敷いた上に乳児を寝かせ、所謂ベビーベッドとして使用することができ、また下部の収納用棚板上には種々のものを収納することができる。
【００２５】
また、このベビーベッドが不要になった時には、ベビーベッドを構成する囲撓柵枠の両部分柵枠体を分離し、一方の部分柵枠体の上に、ハンガー用杆を横設したもう一方の部分柵枠体を載設してハンガーラックとすることにより、誰にでも簡単に不要に成ったベビーベッドをハンガーラックに組み換えて洋服等を整理するハンガーラックとして再使用することがきる。
【００２６】
また、ベビーベッドにはキャスターを設けてあるので、簡単に移動させることができる。
【図面の簡単な説明】
【図１】本発明に係る一実施例のハンガーラック組み換え可能なベビーベッドの斜視図である。
【図２】ベビーベッドを組み換えてハンガーラックとした斜視図である。
【符号の説明】
１    ベビーベッド
２    部分柵枠体
３    部分柵枠体
４    囲撓柵枠体
５    ベッド用床板
６    収納用棚板
７    キャスター
１２  ハンガーラック
１３  ハンガー用杆
【図１】
0003697278.tif 000002
【図２】
0003697278.tif 000003